(57)【要約】【課題】コンパクトな構成でありながら高い結像性能を有する撮像レンズを提供する。【解決手段】物体側から順に、絞りと、物体側に凸面を向けた正の屈折力を有する第１レンズと、物体側に凹面を向けた負の屈折力を有する第２レンズと、光軸近傍における形状が物体側に凸面を向けたメニスカス形状である第３レンズとを備えており、第１レンズ、第２レンズおよび第３レンズはそれぞれ少なくとも１面が非球面となっており、以下の条件式を満足するものである。ただし、ｆを全系の焦点距離、ｆ１を第１レンズの焦点距離、ｆ２を第２レンズの焦点距離とする。  ０．９＜｜ｆ２／ｆ｜＜１１      ……（１）  １．２＜｜ｆ３／ｆ｜＜１００      ……（２）【選択図】図１
2008197264.tif 000002
【特許請求の範囲】
【請求項１】
物体側から順に、絞りと、物体側に凸面を向けた正の屈折力を有する第１レンズと、物体側に凹面を向けた負の屈折力を有する第２レンズと、光軸近傍における形状が物体側に凸面を向けたメニスカス形状である第３レンズとを備え、
前記第１レンズ、前記第２レンズおよび前記第３レンズは、それぞれ少なくとも１面が非球面であり、
以下の条件式を満足する
ことを特徴とする撮像レンズ。
０．９＜｜ｆ２／ｆ｜＜１１      ……（１）
１．２＜｜ｆ３／ｆ｜＜１００      ……（２）
ただし、
ｆ：全系の焦点距離
ｆ１：第１レンズの焦点距離
ｆ２：第２レンズの焦点距離
とする。
【請求項２】
さらに、以下の条件式を満足する
ことを特徴とする請求項１に記載の撮像レンズ。
０．０５＜｜ｆ１／ｆ２｜＜１．０      ……（３）
【請求項３】
さらに、以下の条件式を満足する
ことを特徴とする請求項１または２に記載の撮像レンズ。
ν１−ν２＞２０      ……（４）
ただし、
ν１；第１レンズのｄ線（波長５８７．６ｎｍ）に対するアッベ数
ν２；第２レンズのｄ線に対するアッベ数
とする。
【請求項４】
前記第２レンズは、光軸近傍においてメニスカス形状である
ことを特徴とする請求項１ないし３のいずれか１項に記載の撮像レンズ。
【請求項５】
前記第３レンズは、光軸近傍において負の屈折力を有する
ことを特徴とする請求項１ないし４のいずれか１項に記載の撮像レンズ。
【発明の詳細な説明】
【技術分野】
【０００１】
本発明は、ＣＣＤ（Charge Coupled Device：電荷結合素子）やＣＭＯＳ（Complementary Metal Oxide Semiconductor）等の撮像素子を用いたデジタルカメラや、銀塩フィルムを用いたカメラなどの小型の撮像装置への搭載に好適な固定焦点の撮像レンズに関する。
【背景技術】
【０００２】
近年、パーソナルコンピュータの一般家庭等への普及に伴い、撮影した風景や人物像等の画像情報をパーソナルコンピュータに入力することができるデジタルスチルカメラ（以下、単にデジタルカメラという。）が急速に普及している。また、携帯電話に画像入力用のモジュールカメラ（携帯用モジュールカメラ）が搭載されることも多くなっている。
【０００３】
このような撮像装置には、ＣＣＤやＣＭＯＳなどの撮像素子が用いられている。近年、これらの撮像素子のコンパクト化が進み、撮像装置全体ならびにそれに搭載される撮像レンズにも、コンパクト性が要求されている。また同時に、撮像素子の高画素化も進んでおり、撮像レンズの高解像、高性能化が要求されている。
【０００４】
そこで、特許文献１〜５には、３枚のレンズ構成で、レンズ面に非球面を用いた撮像レンズが開示されている。例えば、特許文献５では、物体側から順に、正の第１レンズ、負の第２レンズ、負の第３レンズを配置した３枚のレンズ構成において、第２レンズおよび第３レンズの屈折力を比較的強く設定し、各レンズ面に少なくとも１つの非球面を設けることにより、コンパクト化、高性能化が図られている。
【特許文献１】特開２００５−２２１６５９号公報
【特許文献２】特開２００４−３０２０５８号公報
【特許文献３】特開２００５−１７３３１９号公報
【特許文献４】特開２００５−２２７７５５号公報
【特許文献５】特開２００５−２９２２３５号公報
【発明の開示】
【発明が解決しようとする課題】
【０００５】
上述したように近年の撮像素子は、小型化および高画素化が進んでおり、それに伴って、特にデジタルカメラ用の撮像レンズには、高い解像性能と構成のコンパクト化が求められている。一方、携帯用モジュールカメラの撮像レンズには従来、コスト面とコンパクト性が主に要求されていたが、最近では携帯用モジュールカメラにおいても撮像素子の高画素化が進む傾向にあり、性能面に対する要求も高くなってきている。
【０００６】
このため、コスト、結像性能、およびコンパクト性の面で総合的に改善された多種多様なレンズの開発が望まれており、例えば、携帯用モジュールカメラにも搭載可能なコンパクト性を確保しつつ、性能面ではデジタルカメラへの搭載をも視野に入れた、ローコストで高性能な撮像レンズの開発が望まれている。
【０００７】
このような要求に対しては、例えば、コンパクト化およびローコスト化を図るためにレンズ枚数を３枚あるいは４枚構成とし、高性能化を図るために、非球面を積極的に用いることが考えられる。この場合、非球面はコンパクト化および高性能化に寄与するが、製造性の点で不利でありコスト高になり易いので、その使用は製造性を十分考慮したものとすることが望ましい。上記各特許文献記載のレンズでは、３枚構成で非球面を用いた構成となっているが、例えば結像性能とコンパクト性との両立という点で不十分なところがある。また、４枚構成とすることにより、３枚構成に比べて性能を向上させることもできるが、コスト性、コンパクト性の面で不利となり易い。また、特許文献５の撮像レンズでは、第２レンズおよび第３レンズの屈折力が比較的強くなっているが、第２レンズおよび第３レンズの屈折力を弱くした場合にも、レンズの最適化が可能であると考えられる。
【０００８】
本発明はかかる問題点に鑑みてなされたもので、その目的は、コンパクトな構成でありながら高い結像性能を有する撮像レンズを提供することにある。
【課題を解決するための手段】
【０００９】
本発明による撮像レンズは、物体側から順に、絞りと、物体側に凸面を向けた正の屈折力を有する第１レンズと、物体側に凹面を向けた負の屈折力を有する第２レンズと、光軸近傍における形状が物体側に凸面を向けたメニスカス形状である第３レンズとを備えており、第１レンズ、第２レンズおよび第３レンズは、それぞれ少なくとも１面が非球面となっており、以下の条件式を満足するものである。ただし、ｆを全系の焦点距離、ｆ１を第１レンズの焦点距離、ｆ２を第２レンズの焦点距離とする。
０．９＜｜ｆ２／ｆ｜＜１１      ……（１）
１．２＜｜ｆ３／ｆ｜＜１００      ……（２）
【００１０】
本発明による撮像レンズでは、全体として３枚という少ないレンズ構成で、各レンズの形状や絞りの配置を適切に設定し、条件式（１）および条件式（２）を満足することにより、各レンズのパワー（屈折力）配分が最適化され、レンズ全長を短く保ったまま、高い収差性能が維持される。
【００１１】
また、本発明による撮像レンズでは、以下の条件式を満足することが好ましい。これにより、レンズ全長の短縮化および諸収差の補正に有利となる。
０．０５＜｜ｆ１／ｆ２｜＜１．０      ……（３）
【００１２】
さらに、本発明による撮像レンズでは、以下の条件式を満足することが好ましい。これにより、色収差の補正に有利となる。ただし、ν１を第１レンズのｄ線（波長５８７．６ｎｍ）に対するアッベ数、ν２を第２レンズのｄ線に対するアッベ数とする。
ν１−ν２＞２０      ……（４）
【００１３】
また、本発明による撮像レンズでは、第２レンズは、光軸近傍においてメニスカス形状であることが好ましい。これにより、コンパクト化および高性能化に有利となる。
【００１４】
さらに、本発明による撮像レンズでは、第３レンズは、光軸近傍において負の屈折力を有することが好ましい。これにより、十分なバックフォーカスを確保し易くなる。
【発明の効果】
【００１５】
本発明の撮像レンズによれば、全体として３枚という少ないレンズ構成で、レンズ形状や絞りの配置を最適化し、所定の条件式を満足するようにしたので、コンパクトな構成でありながら、高い収差性能を有するレンズ系を実現できる。
【発明を実施するための最良の形態】
【００１６】
以下、本発明の実施の形態について図面を参照して詳細に説明する。
【００１７】
図１は、本発明の一実施の形態に係る撮像レンズの第１の構成例を示している。この構成例は、後述の第１の数値実施例（図１１（Ａ），図１１（Ｂ））のレンズ構成に対応している。図２は、第２の構成例を示しており、後述の第２の数値実施例（図１２（Ａ），図１２（Ｂ））のレンズ構成に対応している。図３は、第３の構成例を示しており、後述の第３の数値実施例（図１３（Ａ），図１３（Ｂ））のレンズ構成に対応している。図４は、第４の構成例を示しており、後述の第４の数値実施例（図１４（Ａ），図１４（Ｂ））のレンズ構成に対応している。図５は、第５の構成例を示しており、後述の第５の数値実施例（図１５（Ａ），図１５（Ｂ））のレンズ構成に対応している。図６は、第６の構成例を示しており、後述の第６の数値実施例（図１６（Ａ），図１６（Ｂ））のレンズ構成に対応している。図７は、第７の構成例を示しており、後述の第７の数値実施例（図１７（Ａ），図１７（Ｂ））のレンズ構成に対応している。図８は、第８の構成例を示しており、後述の第８の数値実施例（図１８（Ａ），図１８（Ｂ））のレンズ構成に対応している。図９は、第９の構成例を示しており、後述の第９の数値実施例（図１９（Ａ），図１９（Ｂ））のレンズ構成に対応している。図１０は、第１０の構成例を示しており、後述の第１０の数値実施例（図２０（Ａ），図２０（Ｂ））のレンズ構成に対応している。図１〜図１０において、符号Ｒｉは、絞りＳｔを０番目として、像側（結像側）に向かうに従い順次増加するようにして符号を付したｉ番目の面の曲率半径を示す。符号Ｄｉは、ｉ番目の面とｉ＋１番目の面との光軸Ｚ１上の面間隔を示す。なお、各構成例共に基本的な構成は同じなので、以下では図１に示した第１の構成例を基本にして説明する。
【００１８】
この撮像レンズは、ＣＣＤやＣＭＯＳ等の撮像素子を用いた各種撮像機器、例えばデジタルスチルカメラ、カメラ付き携帯電話機、および情報携帯端末等に用いて好適なものである。この撮像レンズは、光軸Ｚ１に沿って物体側から順に、絞りＳｔと、第１レンズＧ１と、第２レンズＧ２と、第３レンズＧ３とを備えている。第１レンズＧ１、第２レンズＧ２および第３レンズＧ３はそれぞれ、少なくとも１面が非球面形状となっている。
【００１９】
絞りＳｔは、光学的な開口絞りであり、第１レンズＧ１の像側の面よりも、物体側に配置される。この絞りＳｔは、テレセントリック性、すなわち、撮像素子への主光線の入射角度が光軸に対して平行に近く（撮像面における入射角度が撮像面の法線に対してゼロに近く）なるようにすることを確保するために、できるだけ物体側に配置されることが好ましい。図１の構成例では、第１レンズＧ１の前側、すなわちレンズ系の最も物体側に、絞りＳｔが配置される。ただし、図２，図４〜図６，図８〜図１０の構成例では、第１レンズＧ１の物体側の面頂点位置よりも像側に配置されている。
【００２０】
この撮像レンズの結像面Ｓimgには、ＣＣＤ等の撮像素子が配置される。第３レンズＧ３と撮像素子との間には、レンズを装着するカメラ側の構成に応じて、種々の光学部材ＧＣ、例えば撮像面保護用のカバーガラスや赤外線カットフィルタなどの平板状の光学部材が配置される。
【００２１】
第１レンズＧ１は、正の屈折力を有している。第１レンズＧ１は、光軸近傍において物体側に凸面を向けた形状となっている。図１の構成例では、第１レンズＧ１は、光軸近傍における形状が物体側に凸面を向けた正のメニスカス形状となっている。ただし、図６および図７の構成例では、光軸近傍における形状が両凸形状となっている。また、図１の構成例では、像側の面が周辺部において像側に凸形状となっている。ただし、図１０の構成例では、像側の面が周辺部において凹形状となっている。図１０の構成例では、全体としてメニスカス形状となっている。
【００２２】
第２レンズＧ２は、負の屈折力を有している。第２レンズＧ２は、光軸近傍において物体側に凹面を向けた形状となっている。また、第２レンズＧ２は、光軸近傍においてメニスカス形状であることが好ましい。
【００２３】
第３レンズＧ３は、光軸近傍における形状が物体側に凸面を向けたメニスカス形状となっている。第３レンズＧ３の屈折力は、正であってもよく、負であってもよい。ただし、図１の構成例のように、光軸近傍において負の屈折力を有していることが好ましい。あるいは、図４および図８〜１０の構成例のように、光軸近傍において正の屈折力を有している場合には、その屈折力が弱くなっていることが好ましい。
【００２４】
第３レンズＧ３の像側の面は、少なくとも１つの変曲点を有する非球面形状であることが好ましい。図１の構成例では、第３レンズＧ３の像側の面は、光軸近傍において像側に凹形状で、周辺部で像側に凸形状となるように一つの変曲点を有している。一方、第３レンズＧ３の物体側の面は、少なくとも２つの変曲点を有していることが好ましい。図１の構成例では、第３レンズの物体側の面は、光軸近傍において物体側に凸形状で、光軸近傍から周辺部にかけて、物体側に凸、凹、凸の形状となるように２つの変曲点を有している。
【００２５】
この撮像レンズは、以下の条件式を満足している。本実施の形態では、従来（特許文献５）の撮像レンズに比べて、第２レンズＧ２および第３レンズＧ３の屈折力が弱くなっている。ただし、ｆは全系の焦点距離、ｆ２は第２レンズＧ２の焦点距離、ｆ３は第３レンズＧ３の焦点距離とする。
０．９＜｜ｆ２／ｆ｜＜１１      ……（１）
１．２＜｜ｆ３／ｆ｜＜１００      ……（２）
【００２６】
この撮像レンズは、また、以下の条件式を満足することが好ましい。
０．０５＜｜ｆ１／ｆ２｜＜１．０      ……（３）
【００２７】
この撮像レンズは、さらに、以下の条件式を満足することが好ましい。ただし、ν１は第１レンズＧ１のｄ線に対するアッベ数、ν２は第２レンズＧ２のｄ線に対するアッベ数とする。
ν１−ν２＞２０      ……（４）
【００２８】
次に、以上のように構成された撮像レンズの作用および効果を説明する。
【００２９】
この撮像レンズでは、全体として３枚という少ないレンズ構成で、各レンズの形状および屈折力を適切に設定し、所定の条件式を満足することにより、各レンズのパワー配分が最適化され、レンズ全長の短縮化を図りつつ、高い収差性能が維持される。また、絞りＳｔを第１レンズＧ１の像側の面よりも物体側に配置することにより、全長の短縮化およびテレセントリック性の確保に有利となる。一般に、高性能の撮像素子に対応するためには、テレセントリック性が求められるため、絞りＳｔを上記のような配置とすることにより、コンパクト化および高性能化に有利となる。
【００３０】
また、第３レンズＧ３では、第１レンズＧ１および第２レンズＧ２に比べて、画角ごとに光束が分離される。このため、撮像素子に最も近い最終レンズ面である第３レンズＧ３の像側の面を、光軸近傍において像側に凹形状で周辺部において像側に凸形状となるようにすることで、画角ごとの収差補正が適切になされ、光束の撮像素子への入射角度が一定の角度以下に制御される。従って、結像面全域における光量むらを軽減することができると共に、像面湾曲や歪曲収差等の補正に有利となる。
【００３１】
さらに、第３レンズＧ３の物体側の面を、光軸近傍において物体側に凸形状で、光軸近傍から周辺部にかけて、少なくとも２つの変曲点を有するような形状とすることで、像面湾曲等の補正により有利となる。また、第３レンズＧ３において、非球面を適切に用いることで、像面湾曲等の補正およびテレセントリック性の確保により有利となる。
【００３２】
また、第３レンズＧ３を、光軸近傍において、正の弱い屈折力、あるいは負の屈折力を有するように設定することで、バックフォーカスの確保に有利となる。第３レンズＧ３が正の強い屈折力を有する場合、十分なバックフォーカスを確保しづらくなる。以下、各条件式の具体的な作用・効果について説明する。
【００３３】
条件式（１）は、第２レンズＧ２の焦点距離ｆ２に関するもので、この数値範囲を上回ると、第２レンズＧ２のパワーが小さくなり過ぎ全長の短縮化が困難となる。一方、下回ると、像面湾曲および非点収差の補正が困難になるため好ましくない。
【００３４】
条件式（２）は、第３レンズＧ３の焦点距離ｆ３に関するもので、この数値範囲を外れると、第２レンズＧ２と第３レンズＧ３とのパワーバランスが崩れ、全長を短く保ったまま、諸収差を補正することが困難となるため好ましくない。
【００３５】
条件式（３）は、第１レンズＧ１の焦点距離ｆ１と第２レンズＧ２の焦点距離ｆ２とに関するもので、この数値範囲を上回ると、全長の短縮化が困難となり、像面湾曲や非点収差等の補正が困難となる。一方、下回ると、第１レンズＧ１のパワーが強くなり過ぎ、球面収差の増加を招くと共に、バックフォーカスの確保が困難となるため好ましくない。
【００３６】
条件式（４）は、第１レンズＧ１のアッベ数ν１と第２レンズＧ２のアッベ数ν２とに関するもので、この数値範囲を下回ると、良好に色収差を補正することが困難となる。
【００３７】
以上説明したように、本実施の形態に係る撮像レンズによれば、全体として３枚という少ないレンズ構成で、所定の条件式を満足して、各レンズの形状、材料、および屈折力の最適化を図るようにしたので、コンパクトな構成でありながら、高い収差性能を維持することが可能なレンズ系を実現できる。
【実施例】
【００３８】
次に、本実施の形態に係る撮像レンズの具体的な数値実施例について説明する。以下では、第１ないし第１０の数値実施例をまとめて説明する。
【００３９】
図１に示した撮像レンズの構成に対応する具体的なレンズデータを実施例１として、図１１（Ａ），図１１（Ｂ）に示す。特に、図１１（Ａ）には、その基本的なレンズデータを示し、図１１（Ｂ）には非球面に関するデータを示す。図１１（Ａ）に示したレンズデータにおける面番号Ｓｉの欄には、絞りＳｔを０番目として、像側に向かうに従い順次増加するようにして符号を付したｉ番目（ｉ＝０〜８）の面の番号を示している。曲率半径Ｒｉの欄には、図１において付した符号Ｒｉに対応させて、物体側からｉ番目の面の曲率半径の値（ｍｍ）を示す。面間隔Ｄｉの欄についても、同様に物体側からｉ番目の面Ｓｉとｉ＋１番目の面Ｓｉ＋１との光軸上の間隔（ｍｍ）を示す。Ｎｄｊは、物体側からｊ番目（ｊ＝１〜４）の光学要素のｄ線（波長５８７．６ｎｍ）に対する屈折率の値を示す。νｄｊの欄には、物体側からｊ番目の光学要素のｄ線に対するアッベ数の値を示す。図１１（Ａ）にはまた、諸データとして、全系の近軸焦点距離ｆ（ｍｍ）、およびＦナンバー（ＦＮＯ．）の値についても示す。
【００４０】
実施例１に係る撮像レンズは、第１レンズＧ１、第２レンズＧ２および第３レンズＧ３の両面がすべて非球面形状となっている。図１１（Ａ）の基本レンズデータには、これらの非球面の曲率半径として、光軸近傍の曲率半径の数値を示している。図１１（Ｂ）に非球面データとして示した数値において、記号“Ｅ”は、その次に続く数値が１０を底とした“べき指数”であることを示し、その１０を底とした指数関数で表される数値が“Ｅ”の前の数値に乗算されることを示す。例えば、「１．０Ｅ−０２」であれば、「１．０×１０-2」であることを示す。
【００４１】
非球面データとしては、以下の式（Ａ）によって表される非球面形状の式における各係数Ａn，Ｋの値を記す。Ｚは、より詳しくは、光軸Ｚ１から高さｈの位置にある非球面上の点から、非球面の頂点の接平面（光軸Ｚ１に垂直な平面）に下ろした垂線の長さ（ｍｍ）を示す。実施例１に係る撮像レンズは、各非球面が非球面係数Ａnとして第３次〜第１０次の係数Ａ3〜Ａ10を有効に用いて表されている。
Ｚ＝Ｃ・ｈ2／｛１＋（１−Ｋ・Ｃ2・ｈ2）1/2｝＋ΣＡn・ｈn  ……（Ａ）
（ｎ＝３以上の整数）
ただし、
Ｚ：非球面の深さ（ｍｍ）
ｈ：光軸からレンズ面までの距離（高さ）（ｍｍ）
Ｋ：離心率（第２次の非球面係数）
Ｃ：近軸曲率＝１／Ｒ
（Ｒ：近軸曲率半径）
Ａn：第ｎ次の非球面係数
【００４２】
以上の実施例１に係る撮像レンズと同様にして、図２に示した撮像レンズの構成に対応する具体的なレンズデータを実施例２として、図１２（Ａ），図１２（Ｂ）に示す。また同様に、図３に示した撮像レンズの構成に対応する具体的なレンズデータを実施例３として、図１３（Ａ），図１３（Ｂ）に示す。また同様に、図４に示した撮像レンズの構成に対応する具体的なレンズデータを実施例４として、図１４（Ａ），図１４（Ｂ）に示す。また同様に、図５に示した撮像レンズの構成に対応する具体的なレンズデータを実施例５として、図１５（Ａ），図１５（Ｂ）に示す。また同様に、図６に示した撮像レンズの構成に対応する具体的なレンズデータを実施例６として、図１６（Ａ），図１６（Ｂ）に示す。また同様に、図７に示した撮像レンズの構成に対応する具体的なレンズデータを実施例７として、図１７（Ａ），図１７（Ｂ）に示す。また同様に、図８に示した撮像レンズの構成に対応する具体的なレンズデータを実施例８として、図１８（Ａ），図１８（Ｂ）に示す。また同様に、図９に示した撮像レンズの構成に対応する具体的なレンズデータを実施例９として、図１９（Ａ），図１９（Ｂ）に示す。また同様に、図１０に示した撮像レンズの構成に対応する具体的なレンズデータを実施例１０として、図２０（Ａ），図２０（Ｂ）に示す。なお、実施例２〜実施例１０に係る撮像レンズのいずれについても、実施例１と同様、第１レンズＧ１、第２レンズＧ２および第３レンズＧ３の両面がすべて非球面形状となっている。
【００４３】
図２１には、上述の各条件式に関する値を各実施例についてまとめて示す。図２１から分かるように、各実施例の値が、各条件式の数値範囲内となっている。
【００４４】
図２２（Ａ）〜図２２（Ｃ）はそれぞれ、実施例１に係る撮像レンズにおける球面収差、非点収差、およびディストーション（歪曲収差）を示している。各収差図には、ｄ線を基準波長とした収差を示す。球面収差図には、ｇ線（波長４３５．８ｎｍ），Ｃ線（波長６５６．３ｎｍ）についての収差も示す。非点収差図において、実線はサジタル方向、破線はタンジェンシャル方向の収差を示す。ＦＮＯ．はＦ値、ωは半画角を示す。
【００４５】
同様にして、実施例２に係る撮像レンズについての諸収差を図２３（Ａ）〜図２３（Ｃ）に、実施例３に係る撮像レンズについての諸収差を図２４（Ａ）〜図２４（Ｃ）に、実施例４に係る撮像レンズについての諸収差を図２５（Ａ）〜図２５（Ｃ）に、実施例５に係る撮像レンズについての諸収差を図２６（Ａ）〜図２６（Ｃ）、実施例６に係る撮像レンズについての諸収差を図２７（Ａ）〜図２７（Ｃ）、実施例７に係る撮像レンズについての諸収差を図２８（Ａ）〜図２８（Ｃ）、実施例８に係る撮像レンズについての諸収差を図２９（Ａ）〜図２９（Ｃ）、実施例９に係る撮像レンズについての諸収差を図３０（Ａ）〜図３０（Ｃ）、実施例１０に係る撮像レンズについての諸収差を図３１（Ａ）〜図３１（Ｃ）に示す。
【００４６】
以上の各数値データおよび各収差図から分かるように、各実施例について、全体として３枚のレンズ構成で、レンズ材料、レンズの面形状および各レンズの屈折力が最適化され、コンパクトで高性能の撮像レンズ系が実現できている。
【００４７】
なお、本発明は、上記実施の形態および各実施例に限定されず種々の変形実施が可能である。例えば、各レンズ成分の曲率半径、面間隔および屈折率の値などは、上記各数値実施例で示した値に限定されず、他の値をとり得る。
【図面の簡単な説明】
【００４８】
【図１】本発明の実施例１に係る撮像レンズに対応するレンズ断面図である。
【図２】本発明の実施例２に係る撮像レンズに対応するレンズ断面図である。
【図３】本発明の実施例３に係る撮像レンズに対応するレンズ断面図である。
【図４】本発明の実施例４に係る撮像レンズに対応するレンズ断面図である。
【図５】本発明の実施例５に係る撮像レンズに対応するレンズ断面図である。
【図６】本発明の実施例６に係る撮像レンズに対応するレンズ断面図である。
【図７】本発明の実施例７に係る撮像レンズに対応するレンズ断面図である。
【図８】本発明の実施例８に係る撮像レンズに対応するレンズ断面図である。
【図９】本発明の実施例９に係る撮像レンズに対応するレンズ断面図である。
【図１０】本発明の実施例１０に係る撮像レンズに対応するレンズ断面図である。
【図１１】本発明の実施例１に係る撮像レンズのレンズデータを示す図であり、（Ａ）は基本的なレンズデータ、（Ｂ）は非球面に関するレンズデータを示す。
【図１２】本発明の実施例２に係る撮像レンズのレンズデータを示す図であり、（Ａ）は基本的なレンズデータ、（Ｂ）は非球面に関するレンズデータを示す。
【図１３】本発明の実施例３に係る撮像レンズのレンズデータを示す図であり、（Ａ）は基本的なレンズデータ、（Ｂ）は非球面に関するレンズデータを示す。
【図１４】本発明の実施例４に係る撮像レンズのレンズデータを示す図であり、（Ａ）は基本的なレンズデータ、（Ｂ）は非球面に関するレンズデータを示す。
【図１５】本発明の実施例５に係る撮像レンズのレンズデータを示す図であり、（Ａ）は基本的なレンズデータ、（Ｂ）は非球面に関するレンズデータを示す。
【図１６】本発明の実施例６に係る撮像レンズのレンズデータを示す図であり、（Ａ）は基本的なレンズデータ、（Ｂ）は非球面に関するレンズデータを示す。
【図１７】本発明の実施例７に係る撮像レンズのレンズデータを示す図であり、（Ａ）は基本的なレンズデータ、（Ｂ）は非球面に関するレンズデータを示す。
【図１８】本発明の実施例８に係る撮像レンズのレンズデータを示す図であり、（Ａ）は基本的なレンズデータ、（Ｂ）は非球面に関するレンズデータを示す。
【図１９】本発明の実施例９に係る撮像レンズのレンズデータを示す図であり、（Ａ）は基本的なレンズデータ、（Ｂ）は非球面に関するレンズデータを示す。
【図２０】本発明の実施例１０に係る撮像レンズのレンズデータを示す図であり、（Ａ）は基本的なレンズデータ、（Ｂ）は非球面に関するレンズデータを示す。
【図２１】条件式に関する値を各実施例についてまとめて示した図である。
【図２２】本発明の実施例１に係る撮像レンズの諸収差を示す収差図であり、（Ａ）は球面収差、（Ｂ）は非点収差、（Ｃ）はディストーションを示す。
【図２３】本発明の実施例２に係る撮像レンズの諸収差を示す収差図であり、（Ａ）は球面収差、（Ｂ）は非点収差、（Ｃ）はディストーションを示す。
【図２４】本発明の実施例３に係る撮像レンズの諸収差を示す収差図であり、（Ａ）は球面収差、（Ｂ）は非点収差、（Ｃ）はディストーションを示す。
【図２５】本発明の実施例４に係る撮像レンズの諸収差を示す収差図であり、（Ａ）は球面収差、（Ｂ）は非点収差、（Ｃ）はディストーションを示す。
【図２６】本発明の実施例５に係る撮像レンズの諸収差を示す収差図であり、（Ａ）は球面収差、（Ｂ）は非点収差、（Ｃ）はディストーションを示す。
【図２７】本発明の実施例６に係る撮像レンズの諸収差を示す収差図であり、（Ａ）は球面収差、（Ｂ）は非点収差、（Ｃ）はディストーションを示す。
【図２８】本発明の実施例７に係る撮像レンズの諸収差を示す収差図であり、（Ａ）は球面収差、（Ｂ）は非点収差、（Ｃ）はディストーションを示す。
【図２９】本発明の実施例８に係る撮像レンズの諸収差を示す収差図であり、（Ａ）は球面収差、（Ｂ）は非点収差、（Ｃ）はディストーションを示す。
【図３０】本発明の実施例９に係る撮像レンズの諸収差を示す収差図であり、（Ａ）は球面収差、（Ｂ）は非点収差、（Ｃ）はディストーションを示す。
【図３１】本発明の実施例１０に係る撮像レンズの諸収差を示す収差図であり、（Ａ）は球面収差、（Ｂ）は非点収差、（Ｃ）はディストーションを示す。
【符号の説明】
【００４９】
Ｇ１…第１レンズ、Ｇ２…第２レンズ、Ｇ３…第３レンズ、Ｓｔ…絞り、Ｒｉ…物体側から第ｉ番目のレンズ面の曲率半径、Ｄｉ…物体側から第ｉ番目と第ｉ＋１番目のレンズ面との面間隔、Ｚ１…光軸。
【図１】
2008197264.tif 000003
【図２】
2008197264.tif 000004
【図３】
2008197264.tif 000005
【図４】
2008197264.tif 000006
【図５】
2008197264.tif 000007
【図６】
2008197264.tif 000008
【図７】
2008197264.tif 000009
【図８】
2008197264.tif 000010
【図９】
2008197264.tif 000011
【図１０】
2008197264.tif 000012
【図１１】
2008197264.tif 000013
【図１２】
2008197264.tif 000014
【図１３】
2008197264.tif 000015
【図１４】
2008197264.tif 000016
【図１５】
2008197264.tif 000017
【図１６】
2008197264.tif 000018
【図１７】
2008197264.tif 000019
【図１８】
2008197264.tif 000020
【図１９】
2008197264.tif 000021
【図２０】
2008197264.tif 000022
【図２１】
2008197264.tif 000023
【図２２】
2008197264.tif 000024
【図２３】
2008197264.tif 000025
【図２４】
2008197264.tif 000026
【図２５】
2008197264.tif 000027
【図２６】
2008197264.tif 000028
【図２７】
2008197264.tif 000029
【図２８】
2008197264.tif 000030
【図２９】
2008197264.tif 000031
【図３０】
2008197264.tif 000032
【図３１】
2008197264.tif 000033